(57)【特許請求の範囲】
【請求項１】
書類上に永久的な貼り付き、書類を壊さない限り変更できないフォイル構成部（２）の形で安全的特徴を伴う書類（Ｗ１、Ｗ２）の生産方法において、書類（Ｗ１、Ｗ２）に適用される前に、フォイル構成部（２）がフォイル構成部毎に異なり、かつ機械で読み取り可能なイメージ情報（３ａ、４ａ；３ｂ、４ｂ）が与えられ、一旦フォイル構成部（２）が付与されて前記書類（Ｗ１、Ｗ２）が読み取り機を通過し、そして読み取り機によって制御されるプリンターを通じて、この変更可能なイメージ情報のコピー（７ａ、７ｂ；８ａ、８ｂ）が前記フォイル構成部（２）以外の書類に付与されることを特徴とする安全的特徴を伴う書類の製造方法。
【請求項２】
変更可能なイメージ情報が、一連の文字などのキャラクターリードおよび／または図案の結合を含むことを特徴とする請求項１記載の方法。
【請求項３】
キャラクターリード（３ａ、３ｂ）の結合が、書類に一連番号（６ａ、６ｂ）の一部として付与されることを特徴とする請求項２記載の方法。
【請求項４】
変更可能なイメージ情報が、図案を含むことを特徴とする請求項１〜３のいずれか一つに記載の方法。
【請求項５】
変更可能なイメージ情報のコピー（７ａ、７ｂ；８ａ、８ｂ）が同一或いは異なった大きさで付与されることを特徴とする請求項１〜４のいずれか一つに記載の方法。
【請求項６】
フォイル構成部（２）が、変更しえないイメージ部（５）を含み、書類毎に異なるイメージ情報に追加して使用されることを特徴とする請求項１〜５のいずれか一つに記載の方法。
【請求項７】
使用されるプリンターが無衝撃プリンターであることを特徴とする請求項１〜６のいずれか一つに記載の方法。
【請求項８】
前記無衝撃プリンターがインクジェット・プリンターであることを特徴とする請求項７に記載の方法。
【請求項９】
書類に永久的に貼り付けら、しかもそれを壊さない限り変更できないフォイル構成部（２）の形で安全性の特徴を有する書類において、前記フォイル構成部（２）が書類毎に異なり、かつ機械で読み取り可能なイメージ情報とこれと同一のイメージ情報が前記フォイル構成部（２）以外に対して前記書類上にプリントされており、これが同一或いは異なった大きさでコピー（７ａ、７ｂ；８ａ、８ｂ）の形であることを特徴とする安全的要素を伴う書類。
【発明の詳細な説明】
【０００１】
【発明の属する技術分野】
本発明は、永久的に書類に貼り付き、しかも壊さない限り変更できないフォイル構成部の形で秘密的要素を伴った、特に有価証券或いは手形（ｎｏｔｅ  ｏｆｖａｌｕｅ）ような書類の製造方法、および特にこの種の秘密的要素を伴った手形に関するものである。
【０００２】
【従来の技術】
手形のようなこの種の書類は、ＥＰ−Ａ−０６２５４６６の例で知られている。これによれば、任意に変更可能なイメージを伴う偽造フィルム片に対する安全性を高めるためにその書類上に貼り付けられており、これらのイメージは、見られた角度によって外観が変わるような、特にホログラム或いはシネグラムである。この種の手形はカラー複写で再生産できないものである。
【０００３】
【発明が解決しようとする課題】
本発明は、上記課題を解決するもので、永久的に書類に貼り付き、しかも壊さない限り変更できないフォイル構成部の形で秘密的要素を伴った、特に有価証券或いは手形のような書類の製造方法、および特にこの種の秘密的要素を伴った手形に関するものである。
【０００４】
【課題を解決するための手段】
本発明は、全ての銀行小切手の偽造に対して書類の安全性を更に高める役割に基づいたもので、フォイル構成部の使用を通じて追加的な安全性の要素を作りあげることによって書類の個々の登録を許容するだけでなく、技術的な用具なしでも多くの一般大衆によって識別でき、しかも簡単で容易に生産することが出来るものである。
【０００５】
本発明によるこの機能は、クレーム１の特徴部分において教示された特徴によって解決される。
変更可能なイメージ情報は、好ましくは、例えば一連の数字の部分として手形上に印字することができ、そして同一或いは異なる大きさに再生産しうる連続する文字および／または図形の形態でのキャラクターの結合を含んでいる。
【０００６】
フォイル構成部は、好ましくは、変更可能なイメージ情報のみならず、例えばホログラムの形でイメージの不変部分を含んでいる。
変更可能なイメージ情報の表示は、好ましくは無衝撃的プリンター、特にインクジェット・プリンターで書類に付与される。
本発明による書類は、書類に永久的に添付されるフォイル構成部が書類毎に異なるイメージ情報を有し、同一のイメージ情報が同一または異なる大きさでコピーとして書類の上のフォイル構成部の表側に再度プリントされる。
【０００７】
【発明の実施の態様・実施例】
本発明をより明確にするために図面をもって一つの態様、主に一連番号を有する手形或いは請求書を以て説明する。その例示を図１および図２に示す。
図１および図２は、本発明によって製造された２つの異なった手形を示すものである。
【０００８】
図１および図２において、Ｗ１、Ｗ２の各手形は、当該一連番号１３４６７および１３４６８の態様で、６ａ或いは６ｂの通常の一連番号を持っており、しかもそれを壊さない限り変更できないように、それに永久的に添付されたフォイル構成部２を有している。これらのフォイル構成部２は、例えば、手形上に熱間エンボスによって付与される。
【０００９】
それを手形上に適用する前に、これらのフォイル構成部２は、一方ではフォイル構成部毎に変更し、機械で読み取り可能なイメージ情報を付与し、そして他方では、変更できず、しかも全てのフォイル構成部に対して同一のイメージ部を持っている。関係する態様において、変更可能なイメージ情報は、手形Ｗ１およびＷ２に対しキャラクター３ａおよび３ｂおよび簡単な図案４ａおよび４ｂの結合からなり、更にイメージ５の非変更部は、例えば単に模式的に示されたホログラムからなり、このような処理は全ての手形に対して同一である。関係する態様において、手形Ｗ１上のフォイル構成部２は、連続するキャラクターＡＢＣ３と三角形の図案４ａからなるキャラクター３ａの結合を有し、一方、Ｗ２上のフォイル構成部２は、連続するキャラクターＸＹＺ５と円形の図案４ｂからなるキャラクター３ｂの結合を有している。
【００１０】
一旦、手形上にフォイル構成部２が適用されると、後者はキャラクター３ａおよび３ｂと図案４ａおよび４ｂの結合である変更可能なイメージ情報を読み取る読み取り機を通過する。この変更可能なイメージ情報が、次いで読み取り機で制御されるプリンターを経由してフォイル構成部２の外側に関係する手形に適用され、そして関係する態様において、キャラクターリード（ｃｈａｒａｃｔｅｒ  ｒｅａｄ）３ａおよび３ｂの結合が一連番号６ａおよび６ｂの末尾のコピー７ａおよび７ｂとして置かれ、そのために一連番号の観察部に対しキャラクターの結合を形成する。同時に、フォイル構成部２を読み取る図案４ａおよび４ｂは、コピー８ａおよび８ｂとして一連番号の下に置かれる。この変更可能なイメージ情報が、手形に好ましくは無衝撃的プリンター、特にインクジェット・プリンターで付与されるが、それによってコピー８ａおよび８ｂに示したように同一もしくは異なった大きさとすることができる。
【００１１】
本発明は、ここで記載した態様に限定されるものでないが、しかし、いかなる一連の番号および／または文字および／または変更可能な図案、例えば変更可能な干渉する図案とすることも可能であるようなイメージ情報に関して、および手形上で再生産されるようなイメージ情報に関して多くの変形をも含むのもである。加えて、勿論、追加的な図案の形態にある変更可能な情報は、存在すべきではない。同様に、既に知られている適当なプリント法が変更可能な情報を作るために使用することができるが、それによって個々にプリントした後でイメージ情報に変更することは引き続くプリントの間で起こるものである。
【００１２】
【発明の効果】
上述したように、本発明は永久的に書類に貼り付き、しかも壊さない限り変更できないフォイル構成部の形で秘密的要素を伴った、特に有価証券或いは手形のような書類の安全性の確保に大きな効果を果たすものである。
【図面の簡単な説明】
【図１】本発明によって製造された手形の一例を示す。
【図２】本発明によって製造された手形の他の例を示す。
【符号の説明】
Ｗ１、Ｗ２…書類
２…フォイル構成部
３ａ、４ａ；３ｂ、４ｂ…イメージ情報
５…イメージ部
３ａ、３ｂ…キャラクターリード
６ａ、６ｂ…一連番号
７ａ、７ｂ；８ａ、８ｂ…コピー
【図１】
0003943169.tif 000002
【図２】
0003943169.tif 000003